(57)【要約】【課題】カードを名札等として身に付ける際に、カードが落ちないよう、またがたつかないようにする。【解決手段】カード取付具に、少なくとも表面を可撓性を有する材料により構成したカード又はカード入れを挿入する形状一定のスリットと、スリット内に位置し前記カード又はカード入れを前記スリットに挿入した状態でカード入れの係合孔又は凹部に係合する係合爪とを設けた。【選択図】図１
2004037493.tif 000002
【特許請求の範囲】
【請求項１】
係合孔又は係合凹部を有し、カード又はカード入れを衣服等の取付対象に取り付け、又は首にかけることができるようにすべく構成したものであって、前記カード又はカード入れを挿入する形状一定のスリットと、スリット内に位置し前記カード又はカード入れを前記スリットに挿入した状態で前記係合孔又は係合凹部に係合する係合爪とを設けていることを特徴とするカード取付具。
【請求項２】
前記スリットの挿入口側の端部のスリット幅が、挿入口に向かって漸次拡大していることを特徴とする請求項１記載のカード取付具。
【請求項３】
前記スリットのスリット幅が、スリット全体にわたって挿入方向に向かって漸次狭まっていることを特徴とする請求項２記載のカード取付具。
【請求項４】
厚さ方向に弾性変形可能な可動部を設けるとともに、この可動部に前記係合爪を設け、さらに前記可動部に突起を設け、この突起を介して前記係合爪を移動させることを可能に構成していることを特徴とする請求項１、２、又は３記載のカード取付具。
【請求項５】
前記突起たる係合解除ボタンを厚さ方向に突出させて設けてあるとともに、この係合解除ボタンの前面を、本体の端縁部の前面と略面一に構成していることを特徴とする請求項４記載のカード取付具。
【請求項６】
前記係合爪と、前記スリットとにより前記カード又はカード入れの端縁部を略緊密に保持可能にしていることを特徴とする請求項１、２、３、４、又は５記載のカード取付具。
【請求項７】
衣服等の取付対象を挟み込むよう構成したクリップ部を有することを特徴とする請求項１、２、３、４、５、又は６記載のカード取付具。
【請求項８】
前記クリップ部に紐を挿通させうるように構成していることを特徴とする請求項７記載のカード取付具。
【請求項９】
前記スリット及び前記係合爪を有する本体に、前記クリップ部を相対回転可能に取り付けていることを特徴とする請求項７又は８記載のカード取付具。
【発明の詳細な説明】
【０００１】
【発明の属する技術分野】
本発明は、名刺等のカード類を挿入するカード入れ又はカード類を衣服等の取付対象に取り付けるカード取付具に関する。
【０００２】
【従来の技術】
従来、名札等のカードや、カードを挿入するカード入れを衣服等の取付対象に止めるカード取付具には、洗濯バサミのようにばね等を用いて結合した前後のクリップ要素の先端に係合爪を設け、この係合爪をカード又はカード入れに設けた係合孔に係合爪を挿入させる構造のものが広く用いられている。
【０００３】
【発明が解決しようとする課題】
しかし、このような構造を有するカード取付具は、クリップ要素が机等に当たって押さえつけられ、係合が解除されてカード又はカード入れが外れてしまうようなことが起こり得る。また、カード又はカード入れに設けた係合孔に係合爪を挿入させるだけなので、係合孔の部分ががたつくことも起こり得る。
【０００４】
本発明は以上に述べた課題を解決すべく、カード又はカード入れを外れにくくすべく、また係合孔の部分をがたつきにくくすべく構成したものである。
【０００５】
【課題を解決するための手段】
すなわち本発明に係るカード取付具は、係合孔又は係合凹部を有し、少なくとも表面を可撓性を有する材料により構成したカード又はカード入れを衣服等の取付対象に取り付け、又は首にかけることができるようにすべく構成したものであって、前記カード又はカード入れを挿入する形状一定のスリットと、スリット内に位置し前記カード又はカード入れを前記スリットに挿入した状態で前記係合孔又は係合凹部に係合する係合爪とを設けていることを特徴とする。
【０００６】
このようなものであれば、形状一定のスリットにカード又はカード入れを挿入するようにしていることから、全体の厚さを薄いものにでき、机等に当たりにくくなる。なお、本発明における形状一定のスリットとは、スリットの両側の壁間相互の相対位置が少なくともカード又はカード入れを着脱する際に変化しないように構成したもの全般を含む概念である。
【０００７】
カード又はカード入れをスリットに挿入しやすくするには、前記スリットの挿入口側の端部のスリット幅が、挿入口に向かって漸次拡大しているようにすればよい。挿入口の部分のスリット幅をカード又はカード入れの厚さよりも十分広くできるからである。
【０００８】
さらに、前記スリットのスリット幅が、スリット全体にわたって挿入方向に向かって漸次狭まっているものであれば、カード又はカード入れをスリットに挿入しやすくしつつ、より緊密にカード又はカード入れを保持することができるようになる。
【０００９】
厚さ方向に弾性変形可能な可動部を設けるとともに、この可動部に前記係合爪を設け、さらに前記可動部に突起を設け、この突起を介して前記係合爪を移動させることを可能に構成しているものであれば、経過的に前記係合爪を退避させながらカード又はカード入れの挿入を行えるとともに、突起を介して前記係合爪を移動させることにより係合を解除させてカードを取り外すことができるようになる。
【００１０】
前記突起たる係合解除ボタンを厚さ方向に突出させて設けてあるとともに、この係合解除ボタンの前面を、本体の端縁部の前面と略面一に構成しているものであれば、机等に当たっても係合が解除されてカード又はカード入れが外れてしまうようなことを極めて起こりにくくできるようになる。
【００１１】
前記係合爪と、前記スリットとにより前記カード又はカード入れの端縁部を略緊密に保持可能にしているものであれば、より効果的にがたつきを防止できる。
【００１２】
このカード取付具を簡単かつ確実に衣服等に取り付けるようにするには、衣服等の取付対象を挟み込むよう構成したクリップ部を有するようにすればよい。
【００１３】
カードを首にかけることができるようにするには、前記クリップ部に紐を挿通させうるように構成すればよい。挿通させた紐を首にかけるようにすることができるからである。
【００１４】
このようなカード取付具の具体的態様として、前記スリット及び前記係合爪を有する本体に、前記クリップ部を相対回転可能に取り付けているものを挙げることができる。
【００１５】
【発明の実施の形態】
以下に本発明の一実施形態について述べる。
【００１６】
本実施形態に係るカード取付具１は、カード入れＣとともに用いられるものであり、斜視図を図１、正面図を図２、側面図を図３、底面図を図４、図２のａ−ａ断面図を図５に示すように、本体２とクリップ部３とを具備するものである。
【００１７】
本体２は、図２に示すように、略板状をなし、合成樹脂を用いて形成されている。また、その下部の厚さ寸法は上部よりも大きくなっている。一方、正面の中央部と端縁部との間には段差が設けてあり、中央部には厚さ方向に移動可能に構成した可動部２ａを設けている。そして、上部にはクリップ部３を取り付けるための取付孔２ｘが設けてある。
【００１８】
クリップ部３は、前クリップ要素３１と後クリップ要素３２とを屈曲部３３により連絡したヘアピン状の形状をしている。また、後クリップ要素３２の先端部には前クリップ要素３１に向かって突出した対取付対象固定突起３２ａを設けてあり、この対取付対象固定突起３２ａと前クリップ要素３１とにより衣類等の取付対象を略緊密に挟み込むようにしている。さらに、後クリップ要素３２の基端部には、紐止め用突起３２ｂを前クリップ要素３１に向かって突出させて設けてあり、この紐止め用突起３２ｂと前記屈曲部３３との間の空間に紐等を通すようにしている。そして、前クリップ要素３１の先端部には取付部３ｘが設けてあり、この取付部３ｘを前記本体２に設けた取付孔２ｘに重合させ、取付具４をこの取付孔２ｘに挿し通すことにより、取付具４を介して前記本体２に相対回転可能に取り付けている。
【００１９】
カード入れＣは、本実施形態では可撓性を有する材料、例えばポリ塩化ビニル等を用いて形成されていて、内部に名刺等のカード類を入れることができる袋状のものである。そして、その上端縁部にカード取付具１を取り付けるための係合孔Ｃ１を設けている。
【００２０】
しかして本実施形態では、本体２の厚さ方向中央部に前記カード入れＣを挿入する形状一定のスリットＳを設けているとともに、可動部２ａの先端部に、前記カード入れＣをスリットＳに緊密に挿入した状態でカード入れＣの係合孔に係合する係合爪２１を設けている。
【００２１】
スリットＳは、鉛直方向に延びていて、スリット幅は略一定であるが、挿入口Ｓ１付近ではカード入れを挿入しやすくすべくスリット幅が挿入口Ｓ１に向かって漸次拡大している。
【００２２】
さらに、前記可動部２ａの基端部には、突起たる係合解除ボタン２２を厚さ方向に突出させて設けてあり、この係合解除ボタン２２を介して前記係合爪２１を移動可能に構成している。なお、この係合解除ボタン２２の前面は、本体２の端縁部の前面と略面一に構成してある。
【００２３】
このように、本体２にスリットＳを設けるようにしているとともに、カード入れＣの係合孔に係合する係合爪２１を設けているので、洗濯バサミ状のクリップを用いた従来のものと比較して、このクリップ１を薄いものにでき、机等に当たりにくくなるようにできる。従って、このクリップからカード入れＣが外れてしまうようなことを極めて起こりにくくできる。さらに、可撓性を有する材料により構成されたカード入れＣをスリットＳに緊密に挟み込むようにしているので、カード入れＣとスリットＳと間のがたつきを抑えることもできる。
【００２４】
また、弾性変形可能な可動部２ａを設けるとともに、この可動部２ａに前記係合爪２１と前記係合解除ボタン２２とを設けているので、経過的に前記係合爪２１を退避させながらカード入れＣの挿入を行えるとともに、係合解除ボタン２２を介して前記係合爪２１を移動させることにより係合を解除させてカード入れＣを取り外すこともできる。そして、前記係合解除ボタン２２の前面を、本体２の端縁部の前面と略面一に構成してあるので、このクリップ１が机等に当たっても前記係合解除ボタン２２は机等に極めて当たりにくくいようにでき、従ってカード入れＣがこのクリップ１から外れてしまうようなことをさらに起こりにくくできる。
【００２５】
なお、本発明は以上に述べた実施形態に限られない。
【００２６】
例えば、クリップ部は省略してもよい。この場合、例えば紐等を挿通させるように構成し、この紐等を首にかけて使用する態様等が考えられる。また、逆にクリップ部に紐等を挿通させ得るようにせず、もっぱら衣服を挟み込むように取り付ける態様も考えられる。その他、クリップ部の上方に別に紐等を挿通させ得る挿通部を設け、この挿通部に紐等を挿通させる態様も考えられる。さらに、本体とクリップ部とが相対回転しうるようにしなくてもよい。
【００２７】
また、スリット幅は、挿入方向に向かって漸次狭まるようにしてもよいし、挿入口側の端部のスリット幅を挿入口に向かって漸次拡大させなくてもよい。
【００２８】
さらに、カード入れでなく、カードを直接挟み込むようにしてもよい。この場合でも、カードを外れにくくする効果を得ることができる。また、カード入れ又はカードは、可撓性を有するものである必要はない。
【００２９】
そして、カード入れには係合孔ではなく係合凹部を設けるようにしてもよい。
【００３０】
【発明の効果】
本発明は、カード又はカード入れを挿入するスリットを設けるとともに、カード又はカード入れの係合孔又は係合凹部に係合する係合爪を設けているので、全体に薄いものにでき、机等に当たりにくくできる。従って、カード又はカード入れが外れてしまうようなことを極めて起こりにくくできる。
【図面の簡単な説明】
【図１】本発明の一実施形態に係るカード取付具の斜視図。
【図２】同実施形態に係るカード取付具の正面図。
【図３】同実施形態に係るカード取付具の側面図。
【図４】同実施形態に係るカード取付具の底面図。
【図５】図２におけるａ−ａ断面図。
【符号の説明】
１…カード取付具
２…本体
２１…係合爪
２２…係合解除ボタン（突起）
３…クリップ部
Ｓ…スリット
Ｃ…カード入れ
【図１】
2004037493.tif 000003
【図２】
2004037493.tif 000004
【図３】
2004037493.tif 000005
【図４】
2004037493.tif 000006
【図５】
2004037493.tif 000007